(57)【要約】【課題】軸線方向に作用する衝撃から棒状化粧料を十分に保護できる棒状化粧料繰出容器を提供することを課題とする。【解決手段】移動体３の雄螺子３ｅに螺合する雌螺子４ｅを備えた雌螺子部４を具備し、例えば落下等により雌螺子部４に作用する軸線方向の衝撃を、一方の弾性体５ａ（５ｂ）で吸収し、この弾性体５ａ（５ｂ）が復元する際の復元力による衝撃を、他方の弾性体５ｂ（５ａ）で吸収するようにし、雌螺子部４に螺合する移動体３に支持された棒状化粧料を十分に保護するようにする。【選択図】図１
2014221147.tif 000002
【特許請求の範囲】
【請求項１】
容器前部及び当該容器前部に軸線周りに回転可能且つ軸線方向に移動不能に装着された容器後部を備えた筒状の容器と、前記容器前部に対し軸線周りに回転不能且つ軸線方向に移動可能とされ、先端に棒状化粧料を支持し外周部に雄螺子を備えた移動体と、前記容器後部に対し軸線周りに回転不能とされ、内周部に前記雄螺子に螺合する雌螺子を備えた雌螺子部と、を具備し、前記容器前部と前記容器後部の相対回転によって、前記雄螺子及び前記雌螺子より構成された螺合部が働いて前記移動体が進退し前記棒状化粧料が容器先端の開口から出没する棒状化粧料繰出容器であって、
前記雌螺子部は、軸線方向に移動可能とされ、
前記雌螺子部の軸線方向後方への移動を抑制する第１の弾性体と、
前記雌螺子部の軸線方向前方への移動を抑制する第２の弾性体と、を備えたことを特徴とする棒状化粧料繰出容器。
【請求項２】
前記第１の弾性体又は前記第２の弾性体の何れか一方は、周面にスリットを有する弾性体であり、他方は、コイルバネであることを特徴とする請求項１記載の棒状化粧料繰出容器。
【請求項３】
前記第１の弾性体及び前記第２の弾性体は、コイルバネであることを特徴とする請求項１記載の棒状化粧料繰出容器。
【請求項４】
前記第１の弾性体及び前記第２の弾性体は、周面にスリットを有する弾性体であることを特徴とする請求項１記載の棒状化粧料繰出容器。
【発明の詳細な説明】
【技術分野】
【０００１】
本発明は、棒状化粧料を出没可能とする棒状化粧料繰出容器に関する。
【背景技術】
【０００２】
従来、棒状化粧料繰出容器として、以下の特許文献１に記載のものが知られている。この特許文献１に記載の棒状化粧料繰出容器は、容器前部と、この容器前部に回転可能且つ軸線方向に移動不能に装着された容器後部と、容器前部に対し軸線周りに回転不能且つ軸線方向に移動可能とされ、先端に棒状化粧料を支持し外周部に雄螺子を備えた移動体と、容器後部に対し軸線周りに回転不能とされ、内周部に雄螺子に螺合する雌螺子を備えた雌螺子部材と、を具備し、容器前部と容器後部が相対回転されると、雄螺子及び雌螺子より構成された螺合部が働いて移動体が進退し棒状化粧料が容器先端の開口から出没するものである。
【０００３】
特に、この棒状化粧料繰出容器にあっては、雌螺子部材が、前側から後側に向かって、雌螺子、軸線方向に伸縮可能なバネ部をこの順に備えると共に、バネ部後端の軸線方向の移動がほぼ阻止された状態とされているため、例えば落下等により雌螺子部材に対して軸線方向前後の何れの方向に衝撃が作用しても、バネ部が軸線方向に縮退又は伸張し（伸縮し）これに伴い雌螺子も軸線方向前後に移動しこれに従い雌螺子に螺合する雄螺子を有する移動体も前後に移動し、その結果、棒状化粧料への衝撃を吸収でき、棒状化粧料を保護できるとされている。
【先行技術文献】
【特許文献】
【０００４】
【特許文献１】特開２０１２−９６００９号公報
【発明の概要】
【発明が解決しようとする課題】
【０００５】
ここで、前述したように、上記棒状化粧料繰出容器にあっては、雌螺子部材に対して軸線方向（後方又は前方）に衝撃が作用すると、バネ部が縮退又は伸張しこの衝撃を吸収するわけであるが、縮退又は伸張後に元の形状に復元すべく、勢い良く軸線方向反対方向へ伸張又は縮退する。従って、棒状化粧料には、復元力による衝撃が再び作用することになり、棒状化粧料の保護をより高めることが望まれている。
【０００６】
そこで、本発明は、棒状化粧料を十分に保護できる棒状化粧料繰出容器を提供することを目的とする。
【課題を解決するための手段】
【０００７】
本発明による棒状化粧料繰出容器は、容器前部及び当該容器前部に軸線周りに回転可能且つ軸線方向に移動不能に装着された容器後部を備えた筒状の容器と、容器前部に対し軸線周りに回転不能且つ軸線方向に移動可能とされ、先端に棒状化粧料を支持し外周部に雄螺子を備えた移動体と、容器後部に対し軸線周りに回転不能とされ、内周部に雄螺子に螺合する雌螺子を備えた雌螺子部と、を具備し、容器前部と容器後部の相対回転によって、雄螺子及び雌螺子より構成された螺合部が働いて移動体が進退し棒状化粧料が容器先端の開口から出没する棒状化粧料繰出容器であって、雌螺子部は、軸線方向に移動可能とされ、雌螺子部の軸線方向後方への移動を抑制する第１の弾性体と、雌螺子部の軸線方向前方への移動を抑制する第２の弾性体と、を備えたことを特徴としている。
【０００８】
このような棒状化粧料用繰出容器によれば、棒状化粧料は移動体の先端に支持され、この移動体の雄螺子に螺合する雌螺子を備えた雌螺子部に対して、軸線方向の衝撃が作用し当該雌螺子部が軸線方向後方へ移動する際には、雌螺子部の後方への移動が第１の弾性体により抑制されて衝撃が吸収され、その後、第１の弾性体が元の形状に復元する際には、雌螺子部の前方への移動が第２の弾性体により抑制されて復元力による衝撃が吸収される。また、雌螺子部に対して、軸線方向の衝撃が作用し当該雌螺子部が軸線方向前方へ移動する際には、雌螺子部の前方への移動が第２の弾性体により抑制されて衝撃が吸収され、その後、第２の弾性体が元の形状に復元する際には、雌螺子部の後方への移動が第１の弾性体により抑制されて復元力による衝撃が吸収される。このように、雌螺子部に作用する軸線方向の衝撃は一方の弾性体で吸収され、弾性体が復元する際の復元力による衝撃は他方の弾性体で吸収されるため、移動体の先端に支持された棒状化粧料を十分に保護することができる。
【０００９】
ここで、上記作用を好適に奏する第１、第２の弾性体としては、具体的には、第１の弾性体又は第２の弾性体の何れか一方を、周面にスリットを有する弾性体とし、他方をコイルバネとする構成が挙げられる。
【００１０】
また、第１の弾性体及び第２の弾性体をコイルバネとする構成も挙げられる。
【００１１】
さらにまた、第１の弾性体及び第２の弾性体を、周面にスリットを有する弾性体とする構成も挙げられる。
【発明の効果】
【００１２】
このように本発明によれば、棒状化粧料を十分に保護できる棒状化粧料繰出容器を提供できる。
【図面の簡単な説明】
【００１３】
【図１】本発明の第１実施形態に係る棒状化粧料繰出容器を示す縦断面図である。
【図２】図１に示す棒状化粧料繰出容器の雌螺子部材に軸線方向後方への衝撃が作用した状態を示す縦断面図である。
【図３】図１に示す棒状化粧料繰出容器の雌螺子部材に軸線方向前方への衝撃が作用した状態を示す縦断面図である。
【図４】図１中の棒状化粧料支持体、コイルバネ及び雌螺子部材を示す側面図である。
【図５】図４中の雌螺子部材の縦断面図である。
【図６】本発明の第２実施形態に係る棒状化粧料繰出容器を示す縦断面図である。
【図７】図６中のコイルバネ及び雌螺子部材を示す斜視図である。
【図８】図７中の雌螺子部材の側面図である。
【図９】図８に示す雌螺子部材の平面図である。
【発明を実施するための形態】
【００１４】
以下、本発明による棒状化粧料繰出容器の好適な実施形態について図１〜図９を参照しながら説明する。図１〜図５は、本発明の第１実施形態を、図６〜図９は、本発明の第２実施形態を各々示すものであり、各図において、同一の要素には同一の符号を付し、重複する説明は省略する。
【００１５】
先ず、図１〜図５に示す第１実施形態を説明する。
【００１６】
図１は、第１実施形態に係る棒状化粧料繰出容器を示す縦断面図、図２は、棒状化粧料繰出容器の雌螺子部材に軸線方向後方への衝撃が作用した状態を示す縦断面図、図３は、棒状化粧料繰出容器の雌螺子部材に軸線方向前方への衝撃が作用した状態を示す縦断面図、図４は、棒状化粧料支持体、コイルバネ及び雌螺子部材を示す側面図、図５は、雌螺子部材の縦断面図であり、本実施形態の棒状化粧料繰出容器は、例えば、アイライナー、アイブロー、リップライナー、コンシーラー等を始めとした種々の棒状化粧料を収容し、使用者が必要に応じて適宜出没可能とするものである。なお、図面において、図が煩雑になるのを避けるために、棒状化粧料及び容器先端を覆うキャップは省略されている。
【００１７】
図１に示すように、棒状化粧料繰出容器１００は、全体形状が筆記具の如き細長い丸棒状を呈する所謂棒状化粧料カートリッジと呼ばれるものであり、カートリッジ収容容器（不図示）の一方端側に着脱可能（若しくは着脱不能）に装着されて使用されるものである。
【００１８】
棒状化粧料繰出容器１００は、容器前部を構成する先筒１と、容器後部を構成する本体筒２と、を備えた筒状容器であり、これらの先筒１及び本体筒２内に、棒状化粧料と、この棒状化粧料を支持する移動体である棒状化粧料支持体３と、螺合部（螺合機構）を構成する雌螺子部材４とを収容し、さらに、衝撃緩衝部材としての弾性体５を収容する。弾性体５は、ここでは、コイルバネとされている。
【００１９】
本体筒２は、有底円筒状を成し、外周面に設けられた鍔部２ａより後側が、カートリッジ収容容器に内挿される内挿部とされる。この鍔部２ａより後側の外周面には、円環状の凹部及び凸部が軸線方向後方側に向かってこの順に並設された凹凸部２ｂが、本体筒２をカートリッジ収容容器に軸線方向に係合するためのものとして設けられている。本体筒２の後端面には、先端側に凹む断面円形の凹部が設けられ、この凹部の内周面に、周方向に沿って凹凸が密に並設され軸線方向に所定長延びるローレット２ｃが、カートリッジ収容容器に回転方向に係合するためのものとして設けられている。本体筒２の鍔部２ａより前側の内周面には、先筒１を軸線方向に係合するための凹部２ｄが円環状に設けられている。また、本体筒２の底部の内面には、先端側に突出する円筒状の突出部２ｅが突設され、この突出部２ｅの外周面には、周方向に沿って凹凸が密に並設され軸線方向に所定長延びるローレット２ｆが、雌螺子部材４を回転方向に係合するためのものとして設けられている。
【００２０】
雌螺子部材４は、図５に示すように、段付き円筒形状に構成され、その内周面の先端側に、螺合部の一方を構成し雌螺子として機能する螺合突起４ｅを一対備えると共に、その内周面の後部側に、本体筒２のローレット２ｆと回転方向に係合するためのローレット４ｂを備える。
【００２１】
雌螺子部材４の外周面には、軸線方向中程より後側の位置に、円環状の凸部４ｃが、コイルバネ５を係止するためのものとして設けられている（詳しくは後述）。
【００２２】
この雌螺子部材４は、図１に示すように、その後端部から本体筒２の先端側に内挿され、そのローレット４ｂが、本体筒２のローレット２ｆと回転方向に係合することで、本体筒２に対して軸線周りに回転不能（同期回転可能）且つ軸線方向に移動可能に装着される。
【００２３】
先筒１は、軸線方向中程の外周面に段差部１ａを有する段付き円筒状に構成され、この段差部１ａより後側に続く小径の円筒部が、本体筒２に内挿される内挿部とされると共に、段差部１ａより前側に続く大径で先端に向けて先細り形状となる円筒部が、本体筒２の先端から突出し使用者により摘まれる摘み部とされる。この先筒１の段差部１ａより後側の外周面には、本体筒２の円環状の凹部２ｄに軸線方向に係合するための凸部１ｂが円環状に設けられている。
【００２４】
先筒１には、先端の開口１ｇから後端迄貫通し棒状化粧料の摺動を可能とする棒状化粧料孔１ｃが設けられると共に、この棒状化粧料孔１ｃの周囲の複数箇所（ここでは四等配の位置）に、開口１ｇの近傍から後端に亘って、棒状化粧料支持体３の後述する支持片３ｄを収容し摺動を可能とする支持片溝１ｄが連設され、これらの棒状化粧料孔１ｃ及び支持片溝１ｄにより、棒状化粧料及び支持片３ｄが摺動する進退孔１ｅが構成される。
【００２５】
この先筒１は、その内挿部から本体筒２の先端側に内挿され、その段差部１ａが本体筒２の先端面に突き当てられ、その凸部１ｂが本体筒２の凹部２ｄに軸線方向に係合することで、本体筒２に対して軸線周りに回転可能且つ軸線方向に移動不能に装着される。これにより、雌螺子部材４に対しても軸線周りに回転可能とされる。
【００２６】
棒状化粧料支持体３は、棒状化粧料の後端部を支持するための支持部３ａと、この支持部３ａより後側の軸体部３ｂと、を備えている。軸体部３ｂは、軸線方向に延在する軸体であり、当該軸体部３ｂの外周面には、螺合部の他方を構成する雄螺子３ｅが軸線方向に延びるように設けられている。支持部３ａは、その外形が棒状化粧料の外形に略一致し棒状化粧料の後端面を突き当てるための基部３ｃと、この基部３ｃにおける外周面の周方向の複数位置（ここでは四等配の位置）に先端側に向かって突出するように設けられ、基部３ｃに突き当てられた棒状化粧料の後端部を相互間に挟んで支持する支持片３ｄと、を備えている。
【００２７】
この棒状化粧料支持体３は、その先端側から先筒１の後端側に内挿され、その基部３ｃが先筒１の棒状化粧料孔１ｃに進入すると共に、その支持片３ｄが先筒１の支持片溝１ｄに進入するようにして、進退孔１ｅに内挿される。従って、棒状化粧料支持体３の支持片３ｄが進入する支持片溝１ｄは、棒状化粧料支持体３の回り止めとされ、棒状化粧料支持体３は、先筒１に対して軸線周りに回転不能且つ軸線方向に移動可能に装着される。この状態で、棒状化粧料支持体３は、その軸体部３ｂが雌螺子部材４内に進入し、その雄螺子３ｅが雌螺子部材４の螺合突起４ｅに螺合する状態とされている。
【００２８】
また、弾性体としてのコイルバネ５は圧縮コイルバネであり、ここでは、ＳＵＳより形成され、図１及び図４に示すように、雌螺子部材４を囲繞する（巻き付く）ようにして設けられている。このコイルバネ５は、巻きが粗にされた第１の弾性体である後半部の第１のコイルバネ５ａと、この第１のコイルバネ５ａに連なり巻きが密にされた第２の弾性体である前半部の第２のコイルバネ５ｂと、を備える。そして、このように巻きを粗密にすることにより、第１、第２のコイルバネ５ａ，５ｂのバネ定数が互いに変えられている。
【００２９】
コイルバネ５の第１のコイルバネ５ａと第２のコイルバネ５ｂとの境界部５ｃは、雌螺子部材４の外周面の凸部４ｃに対応し巻き付くように設けられている。すなわち、コイルバネ５の境界部５ｃは、雌螺子部材４の凸部４ｃより前側及び後側の部分が、凸部４ｃの前側の面及び後側の面にそれぞれ軸線方向に当接し、従って、境界部５ｃは、雌螺子部材４の凸部４ｃに対して軸線方向に係止された状態となっている。
【００３０】
そして、図１に示すように、コイルバネ５は、棒状化粧料支持体３が初期位置である後退限に位置している状態において、先筒１の後端面と本体筒２の底部との間に挟まれ、第１のコイルバネ５ａ及び第２のコイルバネ５ｂが共に弾発力を蓄積した状態とされる。従って、第１のコイルバネ５ａは、雌螺子部材４の軸線方向後方への移動を抑制し、第２のコイルバネ５ｂは、雌螺子部材４の軸線方向前方への移動を抑制するように機能する。また、このように棒状化粧料支持体３が初期位置である後退限に位置している状態においては、棒状化粧料支持体３の基部３ｃの後端面が、雌螺子部材４の先端面に当接した状態となっている。
【００３１】
このように構成された棒状化粧料繰出容器（棒状化粧料カートリッジ）１００は、その内挿部がカートリッジ収容容器の一方端側の開口に内挿され、その本体筒２の鍔部２ａがカートリッジ収容容器の一方端側の端面に当接し、その本体筒２の凹凸部２ｂがカートリッジ収容容器の内周面の凹凸部（不図示）に軸線方向に係合することで、カートリッジ収容容器に対して軸線方向に着脱可能又は着脱不能とされると共に、その本体筒２のローレット２ｃがカートリッジ収容容器のローレット（不図示）に回転方向に係合することで、カートリッジ収容容器に対して軸線周りに回転不能に装着される。すなわち、棒状化粧料カートリッジ１００とカートリッジ収容容器は一体化される。
【００３２】
次に、このような構成を有する棒状化粧料繰出容器１００の作用を説明する。使用者により、容器前部を構成する先筒１と、容器後部を構成するカートリッジ収容容器とが一方向である繰り出し方向に相対回転されると、棒状化粧料支持体３の雄螺子３ｅ及び雌螺子部材４の螺合突起４ｅより成る螺合部の螺合作用が働き、棒状化粧料支持体３が前進し、棒状化粧料が先筒１の先端の開口１ｇから出現し塗布可能な使用状態とされる。そして、化粧料を塗布する際の圧力で棒状化粧料に作用する軸線方向の衝撃を、第１のコイルバネ５ａが吸収する。
【００３３】
また、塗布が終了し、使用者により、先筒１とカートリッジ収容容器とが一方向の反対方向である繰り戻し方向に相対回転されると、棒状化粧料支持体３が後退し、棒状化粧料が先筒１の先端の開口１ｇから没入する。
【００３４】
なお、ここでは、棒状化粧料繰出容器１００が棒状化粧料カートリッジとしてカートリッジ収容容器に装着されている状態で説明したが、棒状化粧料繰出容器１００がカートリッジ収容容器から取り外された状態で、棒状化粧料を先筒１の開口１ｇから出没させる際には、容器前部を構成する先筒１と容器後部を構成する本体筒２とを繰り出し方向又は繰り戻し方向に相対回転させれば良い。
【００３５】
ここで、棒状化粧料繰出容器１００がカートリッジ収容容器に装着された状態、若しくは、カートリッジ収容容器から取り外された状態で、例えば先端側から落下した場合には、その衝撃でまず雌螺子部材４が軸線方向前方へ移動し、次いで、雌螺子部材４に対して軸線方向後方への衝撃が作用し、図２に示すように、雌螺子部材４が軸線方向後方へ移動する。
【００３６】
そして、雌螺子部材４が軸線方向に移動するにあたって、雌螺子部材４の前方への移動が第２のコイルバネ５ｂにより抑制されて衝撃が吸収（緩衝）され、その後、第２のコイルバネ５ｂが元の形状に復元する（戻る）際には、雌螺子部材４の後方への移動が第１のコイルバネ５ａにより抑制されて復元力による衝撃（振動）が吸収される。
【００３７】
また、棒状化粧料繰出容器１００がカートリッジ収容容器に装着された状態、若しくは、カートリッジ収容容器から取り外された状態で、例えば後端側から落下した場合には、その衝撃でまず雌螺子部材４が軸線方向後方へ移動し、次いで、雌螺子部材４に対して軸線方向前方への衝撃が作用し、図３に示すように、雌螺子部材４が軸線方向前方へ移動する。
【００３８】
そして、雌螺子部材４が軸線方向に移動するにあたって、雌螺子部材４の後方への移動が第１のコイルバネ５ａにより抑制されて衝撃が吸収（緩衝）され、その後、第１のコイルバネ５ａが元の形状に復元する（戻る）際には、雌螺子部材４の前方への移動が第２のコイルバネ５ｂにより抑制されて復元力による衝撃（振動）が吸収される。
【００３９】
このように、本実施形態においては、螺合突起４ｅを有する雌螺子部である雌螺子部材４が軸線方向に移動可能とされ、雌螺子部材４の軸線方向後方への移動を抑制する第１のコイルバネ５ａと、雌螺子部材４の軸線方向前方への移動を抑制する第２のコイルバネ５ｂと、を備え、雌螺子部材４に作用する軸線方向の衝撃は一方のコイルバネで吸収され、コイルバネが復元する際の復元力による衝撃は他方のコイルバネで吸収されるため、雌螺子部材４に螺合する棒状化粧料支持体３に支持された棒状化粧料を、十分に保護することができる。
【００４０】
なお、コイルバネ５の両端は、ここでは、本体筒２、先筒１に固定されていないが、固定されていても良い。
【００４１】
また、第１のコイルバネ５ａと第２のコイルバネ５ｂは一体ではなく、別体であっても良い。
【００４２】
図６は、本発明の第２実施形態に係る棒状化粧料繰出容器を示す縦断面図、図７は、コイルバネ及び雌螺子部材を示す斜視図、図８は、雌螺子部材の側面図、図９は、雌螺子部材の平面図である。
【００４３】
図６に示すように、第２実施形態の棒状化粧料繰出容器２００が第１実施形態の棒状化粧料繰出容器１００と違う点は、第１の実施形態の雌螺子部材４に代えて、樹脂バネ１４ａを第１の弾性体として備えた雌螺子部材１４を用いた点である。
【００４４】
雌螺子部材１４は、樹脂による一体成形品とされ、図６〜図９に示すように、略円筒状に構成され、その後端側から先端側に向かって、回転係合部１４ｃ、樹脂バネ１４ａ、雌螺子部１４ｘをこの順に具備する。
【００４５】
回転係合部１４ｃは、本体筒２と回転方向に係合するためものであり、円筒の外周面に、軸線方向に所定長延び周方向に沿って凹凸が交互に並ぶ凹凸部を備えている。
【００４６】
樹脂バネ１４ａは、螺旋状のスリット１４ｂを備え二条螺子状に構成されている。この樹脂バネ１４ａは、スリット１４ｂにより、軸線方向に沿って傾斜する傾斜部１４ｄと、この傾斜部１４ｄに続き軸線周りに（軸線にほぼ直交する面内で）湾曲する円弧部１４ｅとを軸線方向に沿って交互に有する構成とされている。
【００４７】
雌螺子部１４ｘは、その前側の内周面に、棒状化粧料支持体３の雄螺子３ｅが螺合する前述した一対の螺合突起４ｅ，４ｅを備えると共に、その後端部の外周面に、鍔部１４ｇを備える。
【００４８】
このような変更に伴い、本体筒２も変更され、図６に示すように、第１実施形態の底部の突出部２ｅがなくされると共に、その底部には、軸線方向に所定長延び、雌螺子部材１４の回転係合部１４ｃの凹凸部に回転方向に係合する凹凸部を、周方向に沿って備える回転係合部２ｙが設けられる。
【００４９】
また、このような雌螺子部材１４を用いることにより、前述した第２の弾性体は、雌螺子部１４ｘを囲繞すると共に先筒１の後端部を囲繞するコイルバネ１５とされている。このコイルバネ１５は、両端部の巻きが密に、中央部分の巻きが粗にされている。
【００５０】
そして、図６に示すように、棒状化粧料支持体３が初期位置である後退限に位置している状態では、本体筒２の回転係合部２ｙと雌螺子部材１４の回転係合部１４ｃが回転方向に係合し、これにより、雌螺子部材１４は、本体筒２に対して軸線周りに回転不能且つ軸線方向に移動可能に装着される。また、この状態では、棒状化粧料支持体３の基部３ｃの後端面が、雌螺子部材１４の先端面に当接した状態とされる。
【００５１】
このように、棒状化粧料支持体３が初期位置である後退限に位置している状態においては、第１の弾性体である樹脂バネ１４ａは、回転係合部１４ｃと雌螺子部１４ｘとの間で弾発力を蓄積した状態とされ、第２の弾性体であるコイルバネ１５は、雌螺子部材１４の鍔部１４ｇと先筒１の後部の外周面に形成された段差部１ｆとの間に挟まれ、弾発力を蓄積した状態とされる。従って、樹脂バネ１４ａは、雌螺子部１４ｘの軸線方向後方への移動を抑制し、コイルバネ１５は、雌螺子部１４ｘの軸線方向前方への移動を抑制するように機能する。
【００５２】
このように構成された第２実施形態にあっても、本体筒２の回転係合部２ｙと雌螺子部材１４の回転係合部１４ｃとが回転方向に係合するため、本体筒２と雌螺子部材１４とが第１実施形態と同様に軸線周りに回転不能とされ、その結果、第１実施形態と同様に、先筒１と本体筒２の相対回転によって、棒状化粧料を先筒１の開口１ｇから出没させることができる。
【００５３】
また、この第２実施形態においても、棒状化粧料繰出容器２００が先端側から落下した場合等においては、その衝撃でまず雌螺子部１４ｘが軸線方向前方へ移動し、次いで、雌螺子部１４ｘに対して軸線方向後方への衝撃が作用し、雌螺子部１４ｘが軸線方向後方へ移動する。そして、雌螺子部１４ｘが軸線方向に移動するにあたって、雌螺子部１４ｘの前方への移動がコイルバネ１５により抑制されて衝撃が吸収（緩衝）され、その後、コイルバネ１５が元の形状に復元する（戻る）際には、雌螺子部１４ｘの後方への移動が樹脂バネ１４ａにより抑制されて復元力による衝撃（振動）が吸収される。
【００５４】
また、棒状化粧料繰出容器２００が後端側から落下した場合等においては、その衝撃でまず雌螺子部１４ｘが軸線方向後方へ移動し、次いで、雌螺子部１４ｘに対して軸線方向前方への衝撃が作用し、雌螺子部１４ｘが軸線方向前方へ移動する。そして、雌螺子部１４ｘが軸線方向に移動するにあたって、雌螺子部１４ｘの後方への移動が樹脂バネ１４ａにより抑制されて衝撃が吸収（緩衝）され、その後、樹脂バネ１４ａが元の形状に復元する（戻る）際には、雌螺子部１４ｘの前方への移動がコイルバネ１５により抑制されて復元力による衝撃（振動）が吸収される。
【００５５】
このように、第２実施形態にあっても、螺合突起４ｅを有する雌螺子部１４ｘに作用する軸線方向の衝撃は、樹脂バネ１４ａ又はコイルバネ１５の何れか一方のバネで吸収され、一方のバネが復元する際の復元力による衝撃は、他方のバネで吸収されるため、雌螺子部１４ｘに螺合する棒状化粧料支持体３に支持された棒状化粧料を、十分に保護することができる。
【００５６】
以上、本発明をその実施形態に基づき具体的に説明したが、本発明は上記実施形態に限定されるものではなく、例えば、上記第２実施形態においては、特に好ましいとして、第１の弾性体を樹脂バネ１４ａとしているが、例えば金属等より構成しても良く、要は、周面にスリットを有する弾性体であれば良い。
【００５７】
また、第１、第２の弾性体の組み合わせも、上記第１、第２実施形態に限定されるものではなく、第１の弾性体をコイルバネ、第２の弾性体を周面にスリットを有する弾性体としても良く、また、第１、第２の弾性体を共に周面にスリットを有する弾性体としても良い。
【００５８】
また、雄螺子、雌螺子は、間欠的に配される突起群又は螺旋状且つ間欠的に配される突起群のように螺子山と同様な働きをするものであれば良く、また、螺合突起は、連続する螺子山であっても良い。
【００５９】
さらにまた、上記実施形態においては、カートリッジ式の容器に対する適用を述べているが、カートリッジ式ではない容器に対しても適用可能である。
【符号の説明】
【００６０】
１…先筒（容器前部）、１ｇ…開口、２…本体筒（容器後部）、３…棒状化粧料支持体（移動体）、３ｅ…雄螺子、４…雌螺子部材（雌螺子部）、４ｅ…螺合突起（雌螺子）、５…コイルバネ（弾性体）、５ａ…第１のコイルバネ（第１の弾性体）、５ｂ…第２のコイルバネ（第２の弾性体）、１４…雌螺子部材、１４ａ…樹脂バネ（第１の弾性体）、１４ｂ…スリット、１４ｘ…雌螺子部、１５…コイルバネ（第２の弾性体）、１００，２００…棒状化粧料繰出容器。
【図１】
2014221147.tif 000003
【図２】
2014221147.tif 000004
【図３】
2014221147.tif 000005
【図４】
2014221147.tif 000006
【図５】
2014221147.tif 000007
【図６】
2014221147.tif 000008
【図７】
2014221147.tif 000009
【図８】
2014221147.tif 000010
【図９】
2014221147.tif 000011